(57)【要約】本発明は、前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、籠手布団部材に手の内部材を着脱可能に取り付ける取着手段とを備え、上記手の内部材には、籠手頭布団部の親指保護部及び／又は四指保護部の少なくとも先端部に係止し、使用時に籠手布団部材と手の内部材との間が分離するのを防止する分離防止手段が設けられている剣道用籠手を提供するものである。本発明の剣道用籠手は、手の内部が着脱可能であって、修理費を軽減できると共に洗浄により腐食や悪臭の発生を防止できるだけでなく、競技中や稽古中に相手との激しい衝突や竹刀等による打突等の衝撃が作用しても、籠手布団部材と手の内部材との間が分離するのを防止して手指を完全に保護することができる安全な剣道用籠手を提供するものである。
2005014123.tif 000002
【特許請求の範囲】
【請求項１】
前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材には、上記籠手頭布団部の親指保護部及び／又は四指保護部の少なくとも先端部に係止し、使用時に上記籠手布団部材と手の内部材との間が分離するのを防止する分離防止手段が設けられていることを特徴とする剣道用籠手。
【請求項２】
分離防止手段が、籠手頭布団部の親指保護部及び／又は四指保護部の少なくとも先端部を被覆する被覆部である請求項１に記載の剣道用籠手。
【請求項３】
被覆部とこの被覆部で被覆される籠手頭布団部の親指保護部及び／又は四指保護部の先端部との間には、これらの間を着脱可能に固定する止着手段が設けられている請求項２に記載の剣道用籠手。
【請求項４】
手の内部材は、手の平側に位置するその手平部において、少なくとも四指先端側の指先先端部と手首側の掌基端部との間の長さ寸法を縮小する縮寸加工がされている請求項１〜３のいずれかに記載の剣道用籠手。
【請求項５】
前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材は、手の平側に位置するその手平部において、少なくとも四指先端側の指先先端部と手首側の掌基端部との間の長さ寸法を縮小する縮寸加工がされていることを特徴とする剣道用籠手。
【請求項６】
手の内部材の手平部に施される縮寸加工は、手平部にその略幅方向に延びる所定の長さ及び形状の切込みを所定の数だけ設け、この切込みにより形成された切込み端縁部を互いに接合する切込・接合加工により行われている請求項４又は５に記載の剣道用籠手。
【請求項７】
手の内部材の手平部に施される縮寸加工は、手平部にその略幅方向に延びる所定の長さ及び形状の切欠きを所定の数だけ設け、この切欠きにより形成された切欠き端縁部を互いに接合する切欠・接合加工により行われている請求項４又は５に記載の剣道用籠手。
【請求項８】
手の内部材の手平部に施される縮寸加工は、手平部に１箇所又は２箇所以上で直線的に切り離すと共に、各切離し端縁部からその両端を除いて中間部を略同じ大きさで略円弧状に切り欠き、次いで新たに形成された略円弧状の各切離し端縁部を互いに接合する切離・接合加工により行われている請求項４又は５に記載の剣道用籠手。
【請求項９】
手の内部材は、手の平側に位置する手平部に、手の甲側に位置する手甲部が取り付けられ、親指が挿入される親指挿入部と親指以外の四指が挿入される四指挿入部とを有する手袋状に形成されている請求項１〜８のいずれかに記載の剣道用籠手。
【請求項１０】
手の内部材は、少なくともその四指が位置する四指部分の先端が籠手頭布団部の四指保護部の先端より内側に位置するように形成されており、使用時に指先が上記四指保護部の先端より内側に位置するようになっている請求項１〜９のいずれかに記載の剣道用籠手。
【請求項１１】
前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材は、手の平側に位置する手平部に、手の甲側に位置する手甲部が取り付けられ、親指が挿入される親指挿入部と親指以外の四指が挿入される四指挿入部とを有する手袋状に形成されており、
少なくとも上記四指挿入部の先端が籠手頭布団部の四指保護部の先端より内側に位置し、使用時に指先が上記四指保護部の先端より内側に位置することを特徴とする剣道用籠手。
【請求項１２】
手の内部材の手甲部には、上記籠手布団部材の籠手筒布団部内側にまで延びる延長前腕部が形成されている請求項９〜１１のいずれかに記載の剣道用籠手。
【請求項１３】
前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材は、手の平側に位置する手平部に、手の甲側に位置する手甲部が取り付けられ、親指が挿入される親指挿入部と親指以外の四指が挿入される四指挿入部とを有する手袋状に形成されており、
上記手甲部には、上記籠手布団部材の籠手筒布団部内側にまで延びる延長前腕部が形成されていることを特徴とする剣道用籠手。
【請求項１４】
手の内部材の手甲部とこの手甲部を覆う籠手布団部材の籠手頭布団部及び／又は籠手筒布団部との間に、少なくともこれらの間の一部を着脱可能に固定する止着手段が設けられている請求項９〜１３のいずれかに記載の剣道用籠手。
【請求項１５】
手の内部材は、少なくともその手甲部に打突緩衝材が設けられている請求項９〜１４のいずれかに記載の剣道用籠手。
【請求項１６】
取着手段が、籠手布団部材の少なくとも籠手頭布団部の周縁部に取り付けられた一方のエレメントＡと、手の内部材の周縁部に取り付けられた他方のエレメントＢと、これらエレメントＡとエレメントＢとの間を開閉するスライダーとを有するスライドファスナである請求項１〜１５のいずれかに記載の剣道用籠手。
【請求項１７】
籠手布団部材と手の内部材との間には、一端がそのいずれか一方に固定されていると共に他端が他方に着脱可能に固着され、使用時に少なくともスライドファスナの始端及び／又は終端を保護するファスナ保護帯が設けられている請求項１６に記載の剣道用籠手。
【請求項１８】
前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記取着手段が、籠手布団部材の少なくとも籠手頭布団部の周縁部に取り付けられた一方のエレメントＡと、手の内部材の周縁部に取り付けられた他方のエレメントＢと、これらエレメントＡとエレメントＢとの間を開閉するスライダーとを有するスライドファスナであり、
上記籠手布団部材と手の内部材との間には、一端がそのいずれか一方に固定されていると共に他端が他方に着脱可能に固着され、使用時に少なくともスライドファスナの始端及び／又は終端を保護するファスナ保護帯が設けられていることを特徴とする剣道用籠手。
【請求項１９】
スライドファスナは、その籠手布団部材側のエレメントＡが籠手布団部材の最外周縁端より内側に取り付けられている請求項１６〜１８のいずれかに記載の剣道用籠手。
【請求項２０】
スライドファスナは、その終端が籠手筒布団部の小指側かつ肘側の内側に位置するように、籠手筒布団部とその内面側に位置する延長前腕部との間にまで延設されている請求項１６〜１９のいずれかに記載の剣道用籠手。
【請求項２１】
スライドファスナは、その各エレメントＡ及びＢが熱可塑性樹脂でコイル状に形成されたファスナーエレメントとこのファスナーエレメントが片面側縁部長手方向に沿って取り付けられたファスナーテープとで構成された連続スライドファスナであり、各ファスナーエレメントの取付面とは反対側の面が表面側になるように各ファスナーテープを介して籠手布団部材と手の内部材との間に取り付けられる請求項１６〜２０のいずれかに記載の剣道用籠手。
【請求項２２】
籠手布団部材と手の内部材との間には、一側縁がそのいずれか一方に固定されていると共に他側縁が他方に向けて延設され、使用時に少なくともスライドファスナの各エレメントＡ及びＢの表面側露出部分をその表面側から被覆して保護する帯状ファスナ保護帯が設けられている請求項１６〜２１のいずれかに記載の剣道用籠手。
【請求項２３】
籠手布団部材又は手の内部材には、少なくともその四指が位置する四指部分の先端部に、使用時に使用者の指先をスライドファスナから保護する指先緩衝帯が設けられている請求項１６〜２２のいずれかに記載の剣道用籠手。
【発明の詳細な説明】
【技術分野】  この発明は、剣道や薙刀等の稽古や試合等において、手の保護のために用いられる剣道用籠手に係り、特に籠手布団部材に手の内部材を着脱可能に取り付けるようにした剣道用籠手に関する。
【背景技術】  剣道用籠手は、一般に、図４６〜図４８に示されているように、先端に親指保護部ｄ及び四指保護部ｅを有して手首より先の部分を保護する籠手頭布団部ａと、この籠手頭布団部ａの手首側基部に継ぎ合わされて前腕を保護する籠手筒布団部ｂと、鹿革や人工皮革等の強靭で吸湿性に優れた材料で形成され、上記籠手頭布団部ａの周縁部に縫着部ｆで縫着されて籠手頭布団部ａの内側に位置する手の内部ｃとで構成されており、使用時には、上記籠手頭布団部ａと手の内部ｃとで形成された手挿入部ｇ内に手を差し込み、籠手頭布団部ａと籠手筒布団部ｂとをこれらが手の甲側と前腕とをその外側から包み込むように位置せしめると共に手の内部ｃを手の平側に位置せしめ、手の内部ｃを介して竹刀等を握るようになっている。
そして、上記手の内部ｃは、人の手指と竹刀等との間にあって競技中や練習中に常時大きな摩擦を受けて擦り切れ易く、また、籠手頭布団部ａと手の内部ｃとの縫着部分には手の内部ｃを握って分厚い籠手頭布団部ａをその握りに追従させるために比較的強い引っ張り力が作用し、また、竹刀等を握った際に手の内部ｃに多数の皺ができて握りづらく、この握り難さから派生して竹刀等の操作もしずらくなり、しかも、激しい競技や稽古による汗が染み込み、籠手全体の中で最も消耗し、また、破損し易く、しかも、腐食や悪臭の発生原因になり易く、張替え等の比較的費用と手間のかかる修理を要する部分になっている。
そこで、このような問題を解決するものとして、籠手筒の先端に籠手頭の緩衝材のみを回転及び折曲げ自在に連結し、籠手頭の緩衝材に別体に形成した籠手頭カバーを着脱自在に被着させ、籠手頭カバーの後端側に籠手筒の一部を覆う延長部を形成してなる剣道用籠手が提案されている（実公昭５６−３６，５３１号公報参照）。
しかしながら、この剣道用籠手においては、籠手頭カバーを籠手頭の緩衝材に固定する手段がないので、使用時に籠手頭カバー内で緩衝材がずれて手指が竹刀等で打たれる虞がある。
また、手の内側に位置する手の内部材と手の甲側に位置する籠手布団部材にはそれぞれその周縁部にスライドファスナの各エレメントを取り付け、このスライドファスナにより籠手布団部材の内側に手の内部材を着脱可能に取り付けた剣道用籠手（実開平２−１１６，４８１号及び実開平３−８０，７６７号の各公報参照）や、上記の手の内部材を手袋状に形成した剣道用籠手（実公平７−６，９２６号及び実開平７−３３，３８０号の各公報参照）が提案されている。
しかしながら、これらの剣道用籠手においては、籠手布団部材と手の内部材とがその周縁部でのみ取り付けられているので、競技や稽古中に相手との激しい衝突や竹刀等による打突等の衝撃によってスライドファスナ等の取着手段が破損して籠手布団部材と手の内部材との間が分離したり、あるいは、竹刀等を握るために分厚い籠手頭布団部を引き付けた際に指先が硬いスライドファスナ等の取着手段に強く接し、その上から竹刀等によって打突されて怪我をする虞がある等、必ずしも安全であるとはいえない。
【発明の開示】
そこで、本発明者は、最も消耗・破損し易く、また、腐食や悪臭の発生原因になり易くて修理の負担となっている手の内部を着脱可能にし、これによって修理費を軽減できると共に洗浄により腐食や悪臭の発生を防止でき、しかも、手の内部が誤って分離することがなく手指を完全に保護できる剣道用籠手について鋭意検討した結果、籠手布団部材に手の内部材を着脱可能に取り付けた剣道用籠手において、上記手の内部材側に籠手布団部材の籠手頭布団部の親指保護部及び／又は四指保護部の少なくとも先端部に係止し、使用時に上記籠手布団部材と手の内部材との間が分離するのを防止する分離防止手段を設けることにより、上記の課題を解決できることを見出し、本発明を完成した。
また、本発明者は、上記の検討を進める中で、手の内部材の手平部に所定の縮寸加工を施すことにより、竹刀等を握った際に手平部に皺ができるのを防止することができ、これによって極めて竹刀等を握り易くなることを見い出し、本発明を完成した。
更に、本発明者は、上記の検討を進める中で、手袋状に形成した手の内部材の四指挿入部の先端を籠手頭布団部の四指保護部の先端より内側に設定することにより、使用時に指先が四指保護部の先端より内側に位置し、指先の怪我をより確実に未然に防止できることを見い出し、本発明を完成した。
更にまた、本発明者は、上記の検討を進める中で、手袋状に形成した手の内部材の手甲部に籠手筒布団部の内側にまで延びる延長前腕部を形成することにより、競技又は稽古中に前腕からの汗を吸収できると共にこの籠手筒布団部の衝撃緩和効果をより一層高めることができることを見い出し、本発明を完成した。
そして、本発明者は、上記の検討を進める中で、取着手段としてスライドファスナを用いた場合、籠手布団部材と手の内部材との間に上記スライドファスナの始端及び／又は終端を保護するファスナ保護帯を設けることにより、単に打突等による衝撃からこのスライドファスナの最も損傷し易い始端及び／又は終端を保護できるだけでなく、使用中に誤ってスライダーが移動する等の問題も解決でき、使用者の保護にもなることを見い出し、本発明を完成した。
従って、本発明の目的は、最も消耗・破損し易く、また、腐食や悪臭の発生原因になり易くて修理の負担となっている手の内部を着脱可能にし、これによって修理費を軽減できると共に洗浄により腐食や悪臭の発生を防止できるだけでなく、競技中や稽古中に相手との激しい衝突や竹刀等による打突等の衝撃が作用しても、籠手布団部材と手の内部材との間が分離するのを防止して手指を完全に保護することができる安全な剣道用籠手を提供することにある。
また、本発明の他の目的は、籠手布団部材、手の内部材及びこれらの間を着脱可能に取り付ける取着手段とを備えた剣道用籠手において、より安全でより使い勝手の良い剣道用籠手を提供することにある。
すなわち、本発明は、前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、上記手の内部材には、上記籠手頭布団部の親指保護部及び／又は四指保護部の少なくとも先端部に係止し、使用時に上記籠手布団部材と手の内部材との間が分離するのを防止する分離防止手段が設けられていることを特徴とする剣道用籠手である。
また、本発明は、手の内部材の手平部に所定の縮寸加工を施すこと、手袋状に形成した手の内部材の四指挿入部の先端を籠手頭布団部の四指保護部の先端より内側に設定すること、手袋状に形成した手の内部材の手甲部に籠手筒布団部の内側にまで延びる延長前腕部を形成すること、あるいは、取着手段としてスライドファスナを用いた場合、籠手布団部材と手の内部材との間に上記スライドファスナの始端及び／又は終端を保護するファスナ保護帯を設けること、にそれぞれ特徴を有する剣道用籠手である。
本発明において、上記手の内部材は、使用者が竹刀等を握った際に使用者の手の平と竹刀等との間に位置して使用者の手の平を保護したり、あるいは、滑り止めとしての機能を発揮する手平部のみで構成されていてもよく、また、この手の平側に位置する手平部に、手の甲側に位置する手甲部を縫着等の手段で取り付け、これら手平部と手甲部とによって親指が挿入される親指挿入部と親指以外の四指が挿入される四指挿入部とを有する手袋状に形成されていてもよく、吸汗性等の観点から、好ましくは手袋状に形成されているのがよい。そして、この手の内部材の手平部は鹿革やフェルト、人工皮革等の強靭な吸湿性に優れた材質で形成され、また、手の内部材を手袋状に形成する場合、その手甲部は織布、不織布、フェルト等の比較的強靭で柔軟性や吸湿性に優れた材質で形成される。
また、上記手の内部材に設けられる分離防止手段については、その一端が手の内部材に固定され、他端が籠手頭布団部の親指保護部及び／又は四指保護部の少なくとも先端部に着脱可能に係止し、使用時には取着手段により互いに着脱可能に取り付けられた籠手布団部材と手の内部材との間が分離するのを確実に防止できるものであればよく、例えば、親指保護部及び／又は四指保護部の少なくとも先端部を被覆する被覆部に形成されたり、単に帯状や紐状等に形成されたり、また、これらを組み合せて形成されてもよいが、籠手頭布団部の親指保護部及び／又は四指保護部の先端部を保護するという観点からは、好ましくはこれらの先端部を被覆する被覆部に形成されているのがよい。
そして、この手の内部材に設けられる被覆部（分離防止手段）については、それが上記籠手頭布団部の親指保護部及び／又は四指保護部、好ましくは親指保護部及び四指保護部の少なくとも先端部をそれぞれ被覆することができれば、どのように形成されていてもよく、例えば、上記籠手頭布団部の親指保護部や四指保護部の先端部のみが嵌合される比較的小さな袋状に形成されてもよいほか、親指保護部や四指保護部の略全体が嵌合される比較的大きな袋状に形成されてもよく、またこの際に、親指保護部や四指保護部の先端部が嵌合される部分を残して切込みが設けられてもよく、更には、親指保護部や四指保護部の少なくとも先端部において互いに重なり合う複数の取着帯片で構成してこれらの取着帯片を互いに重ね合せ状に籠手布団部材側に固着するように形成されていてもよい。
更に、この手の内部材に設けられた各被覆部とこれら各被覆部内に収容される籠手布団部材の籠手頭布団部の親指保護部や四指保護部の先端部との間に、これらの間を着脱可能に固定する、例えばベルベットファスナ、ホック、ボタン、ファスナー等の止着手段を設けてもよく、これによって親指保護部や四指保護部の先端部を収容した各被覆部の開口端を確実に閉塞させることができ、この開口端から被覆部内に竹刀等の先端が引っ掛かって不慮の事故が発生するような事態を未然に防止することができる。
更にまた、上記手の内部材の少なくともその四指が位置する四指部分の先端（手の内部材が手袋状に形成されている場合にはその四指挿入部の先端）が上記籠手頭布団部の四指保護部の先端より内側に位置するように形成するのがよく、これによって、使用時に籠手内に手指を挿入して竹刀等を握った際に、指先が籠手頭布団部の四指保護部の先端より内側に位置して籠手頭布団の四指保護部の先端より先に出っ張るのを防止し、指先の怪我を未然に防止できるようになっている。この点は、勿論、親指以外の四指側だけでなく、親指側に対して適用してもよい。
また、手の内部材が手袋状に形成されている場合、好ましくは、手の内部材の親指挿入部及び四指挿入部の各手甲部側と、これら親指挿入部及び四指挿入部を覆う籠手布団部材の籠手頭布団部に設けられた親指保護部及び四指保護部との間に、少なくともこれらの間の一部を着脱可能に固定する、例えばベルベットファスナ、ホック、ボタン、ファスナー等の止着手段を設けてもよく、これによって、手の内部材側の親指挿入部及び四指挿入部と籠手布団部材側の親指保護部及び四指保護部との間をより強固に固着することができ、手の動きに籠手布団部材側の親指保護部及び四指保護部がよく追従して手の内部材と籠手布団部材との一体感が生じる。
また、手の内部材が手袋状である場合、その四指挿入部に、この四指挿入部に挿入される四指の内の任意の指を他の指から分離させて挿入させる隔壁部を設けてもよく、これによって、各指が他の指の干渉を受けずに自由に動くことができ、特に最も力が弱いにも拘わらず確りした握り強さを求められる小指の動きを容易にすることができ、竹刀の握りの強さや操作が容易になる。
更に、手の内部材が手袋状に形成されている場合、その手甲部に、この手甲部と同じ若しくは異なる吸湿性のよい布地等や、これらの布地等とフェルト、スポンジ等の緩衝材との組合せ等で形成され、籠手布団部材の籠手筒布団部の内側の適当な位置まで（例えば、手首部を覆う位置まで、前腕中間部分を覆う位置まで、あるいは、前腕全体を覆う位置まで等）、好ましくは前腕全体を覆う肘側末端にまで延びる延長前腕部を設けるのがよく（なお、以下の説明では、実施例も含めて、特に断らない限り、延長前腕部といえばこの「前腕全体を覆う肘側末端にまで延びる延長前腕部」をいう。）、これによって、競技又は稽古中に前腕からの汗を吸収でき、また、籠手筒布団部における衝撃緩和効果をより一層向上させることができ、更に、籠手装着時の挿入が容易で痛くないほか、手袋状本体部と共に籠手筒布団部から取り外して洗濯することにより容易に清浄化でき、籠手筒布団部を長期に亘って清潔に保つことができる。この延長前腕部については、手甲部と異なる素材で別体に形成して縫着してもよいほか、同じ素材で一体に形成してもよく、また、別体に形成した場合には手甲部と延長前腕部との間をベルベットファスナ等の適当な手段で着脱可能に取り付けてもよい。また、この延長前腕部の大きさや形状についても特に制限されるものではなく、例えば幅方向の大きさについては、籠手筒布団部の幅方向全長に亘って存在するものであっても、また、幅方向一部にのみ存在するものであっても、更に、籠手筒布団部の幅方向を超えて存在し、使用時には前腕部に巻き付けるようにして使用するものであってもよい。更にまた、このように手袋状に形成された手の内部材の手甲部に延長前腕部を設けた際には、好ましくは、籠手筒布団部内側とこの延長前腕部との間を着脱可能な、例えばベルベットファスナ、ホック、ボタン、ファスナー等の止着手段で固着するのがよい。
更に、手の内部材には、その手甲部や延長前腕部に、更には手甲部と延長前腕部との繋ぎ目部分（手首が位置する部分）等に衝撃緩衝性に優れたフェルト、スポンジ等の帯状の打突緩衝材を設けてもよく、また、この際に必要によりこの打突緩衝材を着脱可能に設けてもよく、これによって、例えば剣道の指導者が初心者に指南する際にあえて連続的に籠手を打たせる場合でも、指導者の手首が痛むのを確実に防止することができる。なお、この打突緩衝材を設ける場所については、手甲部、延長前腕部及びこれらの繋ぎ目部分のうちの何れか１箇所に又は２箇所に更には全ての箇所に、それぞれ個別にあるいは連続させて設けてもよいが、剣道の決り手である籠手等により打撃を受け易い場所が特に右手の手首の部分に集中しているので、右手側のみに設けてもよく、更には、鍔迫り合い等で衝撃を受ける右手の四指付け根部分の周辺にのみ設けてもよい。更に、この打突緩衝材については、籠手筒布団部の内側に位置するように、手の内部材の手甲部に取り付けてもよい。
また、本発明においては、上記手の内部材の手の平側に位置する手平部には、好ましくは、少なくとも四指先端側の指先先端部と手首側の掌基端部との間の長さ寸法を縮小する縮寸加工を施すのがよく、これによって、竹刀等を握った際に生じる手平部の皺の発生を可及的に抑制することができ、極めて竹刀等を握り易くなり、更に皺が介在しないことから各指先が自由に動き易くなって素手で握った感触により近くなり、稽古中や試合中に、疲労による握力の低下から竹刀等を握る四指や親指が緩んだり、誤って竹刀等を落とすようなことが少なくなる。この縮寸加工については、好ましくは、四指側だけでなく親指側についても同様に施すのが望ましい。
上記の縮寸加工については、例えば、手の内部材の手平部を構成する前の人工皮革や鹿革等の素材から切り出された掌部材において、少なくともその四指先端側の指先先端部と手首側の掌基端部との間の長さ寸法が縮寸加工前の長さ寸法より短く縮小することができればよく、具体的には、以下に示す切込・接合加工、切欠・接合加工、切離・接合加工、切離・重合加工等の加工方法を例示することができる。
上記の切込・接合加工は、手平部となる掌部材に、その四指部分あるいはこの四指部分及び親指部分に、その略幅方向に延びる必要な長さ及び形状の切込みを必要な数だけ（１箇所又は２箇所以上、好ましくは１〜３箇所）設け、この切込みにより形成された切込み端縁部を互いに重ね合わせて接合する方法である。
また、上記の切欠・接合加工は、上記掌部材の四指部分あるいはこの四指部分及び親指部分に、その略幅方向に延びる必要な長さ及び形状の切欠きを必要な数だけ（１箇所又は２箇所以上、好ましくは１〜３箇所）設け、この切欠きにより形成された切欠き端縁部を互いに重ね合わせて接合する方法である。
更に、上記の切離・接合加工には、上記掌部材の四指部分あるいはこの四指部分及び親指部分に、その略幅方向に延びる必要な数（１箇所又は２箇所以上、好ましくは１〜３箇所）の切離し線を入れて複数の切離し片を形成し、これら各切離し片の切離し端縁部に互いに接合されて縮寸可能な形状（例えば、互いに略同じ大きさの略円弧状、略山形状、略台形状、略矩形状等の形状）に切り欠き、次いでこの切欠きにより新たに形成された縮寸可能な形状の各接合端縁部を互いに重ね合わせて接合する方法や、あるいは、互いに接合される端縁部には互いに接合されて縮寸可能な形状の接合端縁部を有し、かつ、手平部となる掌部材を構成する複数の切離し片を、打抜きや切出し等の単一操作の切離手段で素材から切り出し、次いで各切離し片に形成された縮寸可能な形状の接合端縁部を互いに接合する方法がある。
更にまた、上記の切離・重合加工は、上記掌部材の四指部分あるいはこの四指部分及び親指部分に、その略幅方向に延びる必要な数（１箇所又は２箇所以上、好ましくは１〜３箇所）の切離し線を入れて複数の切離し片を形成し、各切離し片の切離し端縁部をその両端部が狭くて中央部が広くなるように三日月状に重ね合わせて接合する方法である。
そして、上記縮寸加工において行われる接合手段としては、例えば、添え布や添え皮等を裏打ちして、若しくは、このような裏打ちを行うことなく直接に重ね合せて行う縫着等を挙げることができ、また、この接合手段が適用される縫着部分に予め軟質で耐水性のある適宜な接着剤により接着させておくことにより、この縫着部分に一枚ものと同様の強度と耐久性を付与することができ、また、次の縫着作業の作業性が著しく向上する。更に、縮寸加工に切離加工が伴う場合には、必要により一部の切離し片の厚さや素材を変更して組み合わせること、例えば手平部の部位に応じて厚さの異なる人工皮革等の同じ素材を組み合せたり、手平部の部位に応じて人工皮革と鹿皮等の異なる素材を組み合わせることにより、より手に馴染み易い手平部を形成することができる。また、上記の縮寸加工において、その切込・接合加工、切欠・接合加工、切離・接合加工あるいは切離・重合加工で形成される掌部材についても、これら掌部材やこれらの掌部材に施される切込み、切欠き等の加工も含めて、例えば素材である鹿皮や人工皮革等から打抜き等の単一操作の切離手段で容易に形成することができる。
この手平部に施される縮寸加工により、手の内部材の手平部周縁の長さ寸法とこの手の内部材が着脱可能に取り付けられる籠手布団部材の籠手頭布団部の周縁の長さ寸法とを略同じ大きさに設計しても、竹刀等を握った際に手平部に皺ができるのを容易に防止することができ、逆に言えば、竹刀等を握った際に手平部に皺ができないように籠手頭布団部と手平部とを形成しつつ、これら籠手頭布団部と手平部の周縁の長さ寸法を略同じ長さにすることができ、籠手布団部材に手の内部材を着脱可能に取り付けるための取着手段の取付が容易になる。特に、取着手段がスライドファスナである場合、その一方のエレメントＡが籠手頭布団部の周縁部に取り付けられ、また、他方のエレメントＢが手平部の周縁部に取り付けられるが、その際の取付作業が極めて容易になる。
そして、手の内部材を籠手布団部材に着脱可能に取り付ける取着手段については、手の内部材を籠手布団部材の所定の位置に確実に固着できるものであればよく、例えば、籠手布団部材の少なくとも籠手頭布団部の周縁部に取り付けられた一方のエレメントＡと、手の内部材の周縁部に取り付けられた他方のエレメントＢと、これらエレメントＡとエレメントＢとの間を開閉するスライダーとを有するスライドファスナを始めとして、籠手頭布団部の親指保護部及び四指保護部の各付け根付近と手首部分を覆って保護する籠手頭布団部と籠手筒布団部との継ぎ目付近とをそれぞれその手の平側から手の甲側に向けて包み込むように覆いながら適当な止着手段（ベルベットファスナ、ホック、ボタン、バックル等）で固定できるように形成された鹿革製、フェルト製、ゴム製、織布製、不織布製、人工皮革製等の丈夫な取着帯片や、その他のベルト、バンド等を挙げることができる。
この取着手段として、安全性や外観、経済性等の観点から、好ましくはスライドファスナであり、より好ましくは合成樹脂製のスライドファスナであり、特に好ましくは、その各エレメントＡ及びＢが熱可塑性樹脂でコイル状に形成されたファスナーエレメントとこのファスナーエレメントが片面側縁部長手方向に沿って取り付けられたファスナーテープとで構成された連続スライドファスナ（例えば、特開２００３−４７，５０６号公報参照）である。そして、このような連続スライドファスナを用いる場合、好ましくは各ファスナーエレメントの取付面とは反対側の面が表面側になるように各ファスナーテープを介して籠手布団部材と手の内部材との間に取り付けるのがよく、これによって竹刀等の打突等の衝撃に対して比較的弱い各ファスナーエレメントが各ファスナーテープの裏側に隠れて保護されるだけでなく、外観的にも好ましいものとなる。
ここで、取着手段としてスライドファスナを用いる場合、その籠手布団部材側のエレメントＡは籠手布団部材の最外周縁端より内側に取り付けるのがよく、これによってスライドファスナを竹刀等の打撃による衝撃から保護することができる。また、上記分離防止手段が被覆部である場合、好ましくはこの被覆部が籠手頭布団部の親指保護部及び四指保護部の親指及び四指の第二間接より前の部分に、より好ましくは第一間接より前の部分に位置するスライドファスナを被覆するように形成するのが望ましく、これによってスライドファスナを竹刀等の打撃による衝撃からより確実に保護することができる。
また、取着手段としてスライドファスナを用いる場合には、籠手布団部材又は手の内部材には、少なくともその四指が位置する四指部分の先端部に、使用時に使用者の指先が周縁部に取り付けられた比較的硬いスライドファスナに直接的に接触するのを防止する指先緩衝帯を設けるのがよく、これによって四指の先端をより確実に保護することができる。
更に、取着手段がスライドファスナであって手の内部材に延長前腕部が設けられている場合には、このスライドファスナの始端（スライドファスナ閉時にスライダーが存在しない側の端部）及び／又は終端（スライドファスナ閉時にスライダーが存在する側の端部）を上記籠手布団部材の籠手頭布団部の親指側及び／又は小指側の付け根から籠手筒布団部の内側に延びる延長前腕部の親指側及び／又は小指側の中間位置又は末端位置、好ましくは末端位置まで延ばし、これによって手の内部材を籠手布団部材側に取着した際に同時に手の内部材の延長前腕部まで取着できるようにしてもよい。
更にまた、取着手段としてのスライドファスナは、好ましくはその始端側が籠手頭布団部の親指側付け根（延長前腕部の肘側まで延設する場合にはその親指側で肘側末端）に位置し、その終端側が小指側付け根（延長前腕部の肘側まで延設する場合にはその小指側で肘側末端）に位置するように取り付けるのがよく、これによって最も損傷し易いスライドファスナのスライダーが使用時に打突等により損傷したり、使用中に勝手に移動したり、使用の邪魔になるのを可及的に防止することができる。
また、取着手段がスライドファスナである場合、スライドファスナの始端及び／又は終端、特にスライドファスナ閉時にスライダーが位置する終端については、好ましくは、一端が籠手布団部材及び手の内部材のいずれか一方に固定されていると共に他端が他方に着脱可能に固着され、使用時に少なくともスライドファスナの始端及び／又は終端を保護するファスナ保護帯を設けるのがよく、スライドファスナにおいて損傷し易いその始端及び／又は終端、特に最も損傷し易い終端やスライダーをより確実に保護できると共に、使用中に誤ってスライダーが移動することもなくなり、使用者の保護にもなる。
更に、取着手段がスライドファスナであって、使用時にこのスライドファスナの各エレメントＡ及びＢ、特にそのファスナーエレメントの一部又は全部が籠手の表面側に露出する場合、一端が籠手布団部材及び手の内部材のいずれか一方に固定されていると共に他端が他方に向けて延設され、使用時に少なくとも各エレメントＡ及びＢの表面側露出部分をその表面側から被覆して保護する帯状ファスナ保護帯を設けて各エレメントＡ及びＢの表面側露出部分を保護するのがよく、また、スライドファスナの始端側及び／又は終端側が延長前腕部の肘側まで延設されている場合には、この延長前腕部に位置するスライドファスナの部分全体を帯状ファスナ保護帯で保護するようにし、これによって使用時にスライドファスナを保護するだけでなく、このスライドファスナから使用者の前腕部を保護するようにしてもよい。
なお、本発明においては、籠手布団部材には、その手の平側の内面、好ましくはその全面に防水処理を施し、競技又は稽古中に使用者等の汗が籠手布団部材に吸収されるのを防止するようにしてもよい。この防水処理としては、例えば、籠手布団部材の手の平側を形成する布地に防水フィルムを熱融着（ラミネート）したり、防水コーティングをしたり、別の防水性布地を貼着する等の適当な方法を採用することができる。この籠手布団部材の手の平側の防水処理と本発明の手の内部材、特に手袋状に形成された手の内部材の手甲部やこの手甲部に延設された延長前腕部とを組み合わせることにより、使用者等からの汗を着脱可能で容易に洗濯できる手の内部材により略完全に吸収し、また、籠手布団部材に吸収されるのを防止できるので、剣道用籠手に汗が残って腐食や悪臭の発生原因になるのを可及的に防止することができる。
本発明によれば、最も消耗・破損し易く、また、腐食や悪臭の発生原因になり易くて修理の負担となっている手の内部を着脱可能にし、これによって修理費を軽減できる（修理費の軽減）と共に洗浄により腐食や悪臭の発生を防止できる（悪臭等の発生防止）だけでなく、競技や稽古中に相手との激しい衝突や竹刀等による打突等の衝撃が作用しても、取着手段を確実に保護できる（取着手段の保護）と共に、使用者の手指を完全に保護する（安全性の向上）ことができる安全な剣道用籠手を提供することができる。
また、本発明によれば、籠手布団部材、手の内部材及びこれらの間を着脱可能に取り付ける取着手段とを備えた剣道用籠手において、竹刀等を握った際に手平部に皺ができるのを防止して握り易くなる、使用時に指先が四指保護部の先端より内側に位置して指先の怪我をより確実に未然に防止できる、使用中に前腕からの汗を吸収できると共にこの籠手筒布団部の衝撃緩和効果をより一層高める、又は、取着手段としてのスライドファスナの最も損傷し易い始端及び／又は終端を保護すると共に使用中のスライダーの移動を防止して使用者を保護する等の効果を有し、より安全でより使い勝手の良い剣道用籠手を提供することができる。
【図面の簡単な説明】  図１は、本発明の実施例１に係る剣道用籠手を示す手の甲側からみた平面説明図である。
図２は、図１の剣道用籠手を示す手の平側からみた平面説明図である。
図３は、図１の剣道用籠手の籠手布団部材を示す手の甲側からみた平面説明図である。
図４は、図１の剣道用籠手の籠手布団部材を示す手の平側からみた平面説明図である。
図５は、図１の剣道用籠手の手の内部材を示す手の甲側からみた平面説明図である。
図６は、図１の剣道用籠手の手の内部材を示す手の平側からみた平面説明図である。
図７は、図１の剣道用籠手で取着手段として用いた連続スライドファスナの表面側を示す平面説明図である。
図８は、図７の連続スライドファスナの裏面側を示す平面説明図である。
図９は、図１の手の内部材における四指挿入部の先端部とその手甲部の手の甲側に設けられた被覆部の先端部とを拡大して示す部分拡大断面説明図である。
図１０は、図６に示す手の内部材の手平部を製造するための掌部材を構成する３個の切離し片を示す平面説明図である。
図１１は、図１０に示す３個の切離し片からなる掌部材を用いて形成された手平部を示す平面説明図である。
図１２は、本発明の実施例２に係る剣道用籠手を手の平側からみた平面説明図である。
図１３は、本発明の実施例３に係る剣道用籠手を手の平側からみた平面説明図である。
図１４は、本発明の実施例４に係る剣道用籠手を手の甲側からみた平面説明図である。
図１５は、本発明の実施例５に係る剣道用籠手を手の甲側からみた平面説明図である。
図１６は、図１５の剣道用籠手を手の平側からみた平面説明図である。
図１７は、本発明の実施例６に係る剣道用籠手で採用された手の内部材の手平部を製造する際における掌部材を示す平面説明図である。
図１８は、図１７に示す掌部材を用いて形成された手平部を示す平面説明図である。
図１９は、本発明の実施例７に係る剣道用籠手で採用された手の内部材の手平部を製造する際における掌部材を示す平面説明図である。
図２０は、図１９に示す掌部材を用いて形成された手平部を示す平面説明図である。
図２１は、本発明の実施例８に係る剣道用籠手の四指部分の先端部の変形例を示す図９と同様の断面説明図である。
図２２は、本発明の実施例９に係る剣道用籠手を示す手の平側からみた平面説明図である。
図２３は、本発明の実施例１０に係る剣道用籠手を示す手の平側からみた平面説明図である。
図２４は、本発明の実施例１１に係る剣道用籠手を示す手の平側からみた平面説明図である。
図２５は、本発明の実施例１２に係る剣道用籠手を示す手の平側からみた平面説明図である。
図２６は、本発明の実施例１３に係る剣道用籠手を示す手の平側からみた平面説明図である。
図２７は、図２６のＸ−Ｙ線断面説明図である。
図２８は、本発明の実施例１４に係る剣道用籠手の籠手布団部材をその手の平側からみた平面説明図である。
図２９は、図２８の籠手布団部材をその手の甲側からみた斜視説明図である。
図３０は、図２８の籠手布団部材をその手の甲側からみた平面説明図である。
図３１は、上記実施例１４に係る剣道用籠手の手の内部材をその手の平側からみた平面説明図である。
図３２は、図３１の手の内部材をその手の甲側からみた平面説明図である。
図３３は、図３１の手の内部材における四指挿入部の先端部とその手甲部の手の甲側に設けられた被覆部の先端部とを拡大して示す部分拡大断面説明図である。
図３４は、本発明の実施例１５に係る剣道用籠手をその手の甲側からみた斜視説明図である。
図３５は、図３４の剣道用籠手の籠手布団部材をその手の平側からみた平面説明図である。
図３６は、図３４の剣道用籠手の籠手布団部材をその手の甲側からみた平面説明図である。
図３７は、図３４の籠手布団部材をその籠手筒布団部から籠手頭布団部の四指保護部にかけて模式的に示す説明図である。
図３８は、図３４の剣道用籠手の手の内部材をその手の甲側からみた平面説明図である。
図３９は、図３４の手の内部材をその延長前腕部から四指挿入部にかけて模式的に示す断面説明図である。
図４０は、図３４の手の内部材を、その取着巾片を取り除いて、手の甲側からみた平面説明図である。
図４１は、実施例１５の手の内部材の３つの変形例（ａ）、（ｂ）及び（ｃ）を示す手袋本体部２ａの四指挿入部１０部分の横断説明面である。
図４２は、本発明の実施例１６に係る剣道用籠手をその手の甲側からみた平面説明図である。
図４３は、図４２の手の内部材のみをその手の甲側からみた平面説明図である。
図４４は、図４２の手の内部材をその手の平側からみた平面説明図である。
図４５は、図４２の手の内部材をその手の甲側からみた平面説明図である。
図４６は、従来の剣道用籠手をその手の内側からみた平面説明図である。
図４７は、図４６のｘ−ｘ線断面説明図である。
図４８は、図４６のｙ−ｙ線断面説明図である。
１…籠手布団部材、２…手の内部材、２ａ…縫着、３…籠手筒布団部、４…籠手頭布団部、５…親指保護部、６…四指保護部、６ａ…四指保護部の先端、７…手平部、７ａ…掌部材、７ｂ…親指部分、７ｃ…四指部分、７ｄ…掌基部片、７ｅ…親指部片、７ｆ…四指部片、８…手甲部、８ａ…延長前腕部、９…親指挿入部、１０…四指挿入部、１０ａ…四指挿入部の先端、１１ａ，１１ｂ…被覆部（分離防止手段）、１１ｃ，１１ｄ…ベルベットファスナ（止着手段）、１１ｅ…Ｖ字状の切欠き、１１ｆ…締付け片、１２…スライドファスナ（取着手段）、１２ａ…エレメントＡ、１２ｂ…エレメントＢ、１２ｃ…スライダー、１２ｄ…ファスナーエレメント、１２ｅ…ファスナーテープ、１３ａ，１３ｂ…接合端縁部、１４ａ，１４ｂ…縫着、１５ａ，１５ｂ，１６ａ，１６ｂ…ベルベットファスナ（止着手段）、１７…指先緩衝帯、１８ａ，１８ｂ，１８ｃ…切欠き、１９…添え皮の裏打、２０ａ，２０ｂ，２０ｃ，２２ａ，２２ｂ，２２ｃ…縫着、２１ａ，２１ｂ，２１ｃ…切込み、ｘ０…掌部材における親指先端側の指先先端部と手首側の掌基端部との間の元の長さ寸法（原寸）、ｙ０…掌部材における四指先端側の指先先端部と手首側の掌基端部との間の元の長さ寸法（原寸）、ｘ…手平部における親指先端側の指先先端部と手首側の掌基端部との間の長さ寸法、ｙ…手平部における四指先端側の指先先端部と手首側の掌基端部との間の長さ寸法、Ｐ…縮寸加工、２３ａ，２３ｂ…帯状の係止帯（分離防止手段）、２３ｃ，２３ｄ…ベルベットファスナ、２４…ファスナ保護帯、２４ａ，２４ｂ…帯状ファスナ保護帯、２５…ベルベットファスナ、２６…取着巾片（取着手段）、２６ａ，２６ｂ，２６ｃ，４３ａ，４３ｂ，４３ｃ…取着帯片（取着手段）、２６ｄ…親指側巾片、２６ｅ…中央巾片、２６ｆ…小指側巾片、２７ａ，２７ｂ，２７ｃ，２７ｄ，２７ｅ…ベルベットファスナ（止着手段）、２８ａ，２８ｂ，２８ｃ，２８ｄ…ベルベットファスナ（止着手段）、２９ａ，２９ｂ，２９ｃ，２９ｄ，２９ｅ…ベルベットファスナ（止着手段）、３０ａ，３０ｂ，３０ｃ，３０ｄ…ベルベットファスナ（止着手段）、３１ａ，３１ｂ，３１ｃ，３１ｄ，３１ｅ，３１ｆ…ベルベットファスナ（止着手段）、３２ａ，３２ｂ…縫着部、３３ｄ…ベルベットファスナ（止着手段）、３４ａ，３４ｂ，３４ｃ，３４ｄ…ベルベットファスナ（止着手段）、３５ａ，３５ｂ，３５ｃ…ベルベットファスナ（止着手段）、３６ａ，３６ｂ，３６ｃ，３６ｄ…ベルベットファスナ（止着手段）、３７ａ，３７ｂ…切込み、３８ａ，３８ｂ，３８ｃ，３８ｄ…ベルベットファスナ（止着手段）、３９ａ，３９ｂ，３９ｃ…ベルベットファスナ（止着手段）、４０ａ，４０ｂ，４０ｃ，４０ｄ，４０ｅ，４０ｆ，４０ｇ，４０ｈ…ベルベットファスナ（止着手段）、４１ａ，４１ｂ，４１ｃ…隔壁、４２ａ，４２ｂ，４２ｃ…縫着箇所、４４，４５，４６，４７，４８，４９…ベルベットファスナ（止着手段）、５０…打突緩衝材、５０ａ…補強部、５１ａ…人差し指部、５１ｂ…中指部、５１ｃ…薬指部、５１ｄ…小指部、５１ｅ…三指部。
【発明を実施するための最良の形態】  以下、添付図面に示す実施例に基づいて、本発明の好適な実施の形態を具体的に説明する。
【実施例１】  図１〜図６に、本発明の実施例１に係る左手用の剣道用籠手が示されている。この実施例１の剣道用籠手は、図１〜図４に示されているように、使用者の前腕を保護する籠手筒布団部３と先端側に親指保護部５及び四指保護部６を有して使用者の手首より先の部分を保護する籠手頭布団部４とを継ぎ合わせてなる籠手布団部材１と、図１、図２、図５及び図６に示されているように、この籠手布団部材１の籠手頭布団部４の内面側に着脱可能に取り付けられる手の内部材２とで構成されており、これら籠手布団部材１と手の内部材２との間は、図２、図４〜６に示されているように、手の内部材２を籠手布団部材１に着脱可能に取り付けるスライドファスナ（取着手段）１２が設けられている。
そして、上記手の内部材２は、図１、図２、図５及び図６に示されているように、人工皮革で形成されて手の平側に位置する手平部７と織布で形成されて手の甲側に位置する手甲部８とをその外周縁部で縫着して形成されており、使用者の親指が挿入される親指挿入部９と使用者の親指以外の四指が挿入される四指挿入部１０とを有して手袋状に形成されており、また、上記の親指挿入部９及び四指挿入部１０の手甲部８外側には、上記籠手布団部材１と手の内部材２との間が分離するのを防止する分離防止手段として、籠手頭布団部４の親指保護部５及び四指保護部６の大部分、すなわち親指又は四指の第一間接と第二間接の中間位置位までをそれぞれ被覆する比較的大きな袋状の被覆部１１ａ，１１ｂが設けられており、更に、上記手甲部８の前腕側には、この手甲部８と同じ素材で一体に形成され、上記籠手布団部材１の籠手筒布団部３の内面側に沿って延設され、この籠手筒布団部３の内面側に着脱可能に取り付けられる延長前腕部８ａが設けられている。
この実施例１において、手の内部材２の親指挿入部９及び四指挿入部１０の手甲部８外側に設けられた袋状の被覆部１１ａ，１１ｂとこれら各被覆部１１ａ，１１ｂ内に収容される籠手頭布団部４の親指保護部５及び四指保護部６の各先端部との間には、図１及び図５に示されているように、一方が各被覆部１１ａ，１１ｂ側に取り付けられ、また、他方が親指保護部５及び四指保護部６の各先端部側に取り付けられ、互いに着脱可能に係止し、使用時に各被覆部１１ａ，１１ｂが誤って親指保護部５及び四指保護部６の各先端部から離脱するのを防止するベルベットファスナ（止着手段）１１ｃ，１１ｄが設けられており、これによって、籠手布団部材１に手の内部材２を取り付けた状態で、親指挿入部９及び四指挿入部１０の手甲部８外側に設けられた各被覆部１１ａ，１１ｂがベルベットファスナ１１ｃ，１１ｄによりそれぞれ親指保護部５及び四指保護部６の各先端部に確実にかつしっかりと固定されるようになっている。
また、手の内部材２を籠手布団部材１に着脱可能に取り付ける取着手段のスライドファスナ１２は、その全体が合成樹脂で形成され、図２、図４、図５及び図６に示されているように、籠手布団部材１の籠手頭布団部４の周縁部、詳細には周縁部の最外周縁端より内側に取り付けられている一方のエレメントＡ１２ａと、手の内部材２の周縁部の最外周縁端よりに取り付けられた他方のエレメントＢ１２ｂと、上記エレメントＢ１２ｂ側に配設されて上記エレメントＡ１２ａとエレメントＢ１２ｂとの間を開閉するスライダー１２ｃとで構成されている。
この実施例１の剣道用籠手で用いられているスライドファスナ１２は、図７及び図８に示すように、その各エレメントＡ及びＢがポリエステル樹脂、ポリエチレン樹脂、ポリアミド樹脂、ポリビニルアルコール樹脂、ポリプロピレン樹脂等の熱可塑性樹脂でコイル状に形成されたファスナーエレメント１２ｄとこのファスナーエレメント１２ｄが片面側縁部長手方向に沿って取り付けられたファスナーテープ１２ｅとで構成された連続スライドファスナであり、図２に示されているように、各ファスナーエレメント１２ｄの取付面とは反対側の面（図７に示された面）が表面側になるように各ファスナーテープ１２ｅを介して籠手布団部材１と手の内部材２との間に取り付けられており、この結果、スライドファスナ１２が閉じられた使用時には、各ファスナーエレメント１２ｄのほとんどの部分は各ファスナーテープ１２ｅの裏側に位置してこの各ファスナーテープ１２ｅにより覆われ、これによって竹刀等の打突等の衝撃に対して比較的弱い各ファスナーエレメント１２ｄが各ファスナーテープ１２ｅにより保護され、また、外観的にも好ましいものとなる。
更に、この実施例１の手の内部材２においては、図９（四指側のみを図示）に示されているように、その親指挿入部９及び四指挿入部１０の先端が籠手頭布団部４の親指保護部５及び四指保護部６の先端より内側に位置するように、これら親指挿入部９及び四指挿入部１０を形成する手平部７と手甲部８の先端を互いに縫い付ける縫着２ａが施されており、これによって、使用者の親指及び四指の指先が籠手頭布団部４の親指保護部５及び四指保護部６の先端より内側に位置し、籠手頭布団部４の親指保護部５及び四指保護部６によって使用者の親指及び四指の指先を確実に保護できるようになっている
また、この実施例１において、上記手の内部材２を構成する手平部７には、図２及び図６に示されているように、四指先端側の指先先端部及び親指先端側の指先先端部と手首側の掌基端部との間の長さ寸法を縮小する縮寸加工Ｐが施されている。
すなわち、この手平部７は、図１０及び図１１に示されているように、その製造時に手平部７となる掌部材７ａに切離・接合加工を施すことにより形成されているが、この掌部材７ａは２種類の厚さの異なる素材である人工皮革からそれぞれ単一操作の切離手段である打抜きにより切り出され、かつ、互いに切り離された端縁部には互いに略同じ大きさで略円弧状に形成された接合端縁部１３ａ，１３ｂを有する３個の切離し片（すなわち、厚さ０．８ｍｍの掌基部片７ｄ、厚さ１．３ｍｍの親指部片７ｅ及び厚さ１．３ｍｍの四指部片７ｆ）で構成されており（図１０参照）、また、これら３個の切離し片（掌基部片７ｄ、親指部片７ｅ及び四指部片７ｆ）からなる掌部材７ａは、互いに接合されて手平部７とされる際に、各接合端縁部１３ａ，１３ｂが酢酸ビニル系接着剤により予め接着された後に互いに縫着１４ａ，１４ｂされており（図１１参照）、これによって、親指先端側の指先先端部と手首側の掌基端部との間及び四指先端側の指先先端部と手首側の掌基端部との間において、縫着後の長さ寸法ｘ，ｙがその縫着前の長さ寸法（原寸）ｘ０，ｙ０より短くなる、いわゆる縮寸加工Ｐが施されている。
また、籠手布団部材１には、図４に示されているように、その籠手頭布団部４の四指保護部６の手の平側に１箇所とその籠手筒布団部３の籠手頭布団部４とは反対側の端部の手の平側に３箇所とに、それぞれベルベットファスナ（止着手段）１５ａ，１６ａが設けられており、また、手の内部材２には、図５に示されているように、その手甲部８の外側に１箇所とその延長前腕部８ａの手甲部８とは反対側の端部の外側に３箇所とに、それぞれベルベットファスナ（止着手段）１５ｂ，１６ｂが設けられており、これらベルベットファスナ１５ａ，１５ｂ，１６ａ，１６ｂによって籠手布団部材１の籠手頭布団部４と手の内部材２の手甲部８との間、及び、籠手布団部材１の籠手筒布団部３と手の内部材２の延長前腕部８ａとの間において、使用時に位置ずれが生じるのを確実に防止できるようになっている。
更に、手の内部材２には、図５に示されているように、手首部分を覆う手甲部８から延長前腕部８ａにかけて、フリースニット素材からなる打突緩衝材５０が縫着されており、また、その手首部分に対応する位置には更に衝撃緩衝性を高めるためのフェルト製の補強部５０ａが設けられており、これによって、使用者の手首をより確実に保護できるようになっている。
従って、この実施例１の剣道用籠手において、その籠手布団部材１に手の内部材２を取り付ける際には、先ず、手の内部材２側に設けられたベルベットファスナ１５ｂ，１６ｂをそれぞれ対応する籠手布団部材１側のベルベットファスナ１５ａ，１６ａに止着し、次いで籠手頭布団部４の周縁部に設けられた一方のエレメントＡ１２ａと手の内部材２の周縁部に設けられた他方のエレメントＢ１２ｂとの位置合わせを行い、スライダー１２ｃによりこれらエレメントＡ１２ａとエレメントＢ１２ｂとの間を閉じ、次いで、手の内部材２の親指挿入部９及び四指挿入部１０の手甲部８外側に設けられた被覆部１１ａ，１１ｂをそれぞれ籠手頭布団部４の親指保護部５及び四指保護部６の外側に位置するように反転させて被覆せしめ、各被覆部１１ａ，１１ｂ側のベルベットファスナ１１ｃを親指保護部５及び四指保護部６側のベルベットファスナ１１ｄに止着させればよい。反対に、籠手布団部材１から手の内部材２を取り外す際には、上記の取付手順とは反対の手順を行えばよい。ここで、各被覆部１１ａ，１１ｂは、伸縮性に富むニット素材で形成されているため、被覆の際の反転操作がし易く、また、これに伴って、この各被覆部１１ａ，１１ｂに設けられるベルベットファスナ１１ｃについては伸縮性に優れたものが採用されている。
なお、この実施例１の剣道用籠手においては、その籠手布団部材１の手の平側に位置する織布にポリエチレン製の防水フィルムが熱融着（ラミネート）されて防水処理されており（図示せず）、これによって使用者からの汗が籠手布団部材１に吸収されるのを防止できるようになっている。
【実施例２】  図１２に、本発明の実施例２に係る剣道用籠手が示されている。
この実施例２においては、上記実施例１の場合と同様に、手の内部材２が手平部７と手甲部８とで手袋状に形成されているが、実施例１の場合とは異なり、上記手平部７に縮寸加工が施されておらず、また、上記手甲部８に延長前腕部が形成されていない。この実施例２の剣道用籠手においても、実施例１の場合と同様に、修理費の軽減、悪臭等の発生防止、取着手段の保護、完全性の向上等の効果を奏するものである。
【実施例３】  図１３に、本発明の実施例３に係る剣道用籠手が示されている。
この実施例３においては、上記実施例１の場合とは異なり、手の内部材２は、手の平側に位置する人工皮革製の手平部７のみで形成されて手甲部がなく、手袋状にはなっておらず、また、この手平部７に縮寸加工がない。従って、この実施例３の剣道用籠手においては、使用者の手は籠手布団部材１と手の内部材２の手平部７との間に入るようになっている。この実施例３の剣道用籠手においても、実施例１の場合と同様に、修理費の軽減、悪臭等の発生防止、取着手段の保護、完全性の向上等の効果を奏するものである。
【実施例４】  図１４に、本発明の実施例４に係る剣道用籠手が示されている。
この実施例４においては、上記実施例１の場合とは異なり、手の内部材２に設けられた袋状の被覆部１１ａ，１１ｂには、籠手頭布団部４の親指保護部５及び四指保護部６の外側に位置する部分において、手首側に向けて開口するＶ字状の切欠き１１ｅがそれぞれ形成され、これら各切欠き１１ｅの開口端側にはゴム製等の伸縮可能な材料で形成された締付け片１１ｆがそれぞれ取り付けられており、籠手布団部材１に対する手の内部材２の取付けや取外しの操作の際にはこれら被覆部１１ａ，１１ｂの締付け片１１ｆを引き延ばして行うようになっており、これによって、籠手布団部材１に手の内部材２を取り付けた状態で各被覆部１１ａ，１１ｂが締付け片１１ｆによりそれぞれ親指保護部５及び四指保護部６に確実にかつしっかりと固定されるようになっている。この実施例４の剣道用籠手においては、切欠き１１ｅと締付け片１１ｆとが各被覆部１１ａ，１１ｂと親指保護部５及び四指保護部６との間の止着手段として機能する。
【実施例５】  図１５及び図１６に、本発明の実施例５に係る剣道用籠手が示されている。
この実施例５においては、上記実施例１の場合とは異なり、手の内部材２の親指挿入部９及び四指挿入部１０の手甲部８外側には、上記籠手布団部材１と手の内部材２との間が分離するのを防止する分離防止手段として、一端がこの手の内部材２の親指挿入部９及び四指挿入部１０側にそれぞれ固着され、他端にはベルベットファスナ２３ｃ，２３ｄにより籠手頭布団部４の親指保護部５及び四指保護部６の外側に着脱可能に固着される帯状の係止帯２３ａ，２３ｂが設けられている。そして、この実施例５においても、上記実施例１の場合と同様に、手の内部材２が延長前腕部８ａを有する手袋状に形成されている。
【実施例６】  図１７及び図１８に、本発明の実施例６に係る剣道用籠手で採用された手の内部材の手平部７とその製造に用いられる人工皮革製の掌部材７ａが示されている。
この実施例６の手平部７には、上記実施例１の場合と異なり、その製造時に、手平部７となる掌部材７ａに対して、使用者の親指が位置する親指部分７ｂの略根元部と、使用者の四指が位置する四指部分７ｃの略根元部及び略中間部とに、それぞれ略幅方向に延びる合計３本の切欠き１８ａ，１８ｂ，１８ｃを形成し、これらの切欠き１８ａ，１８ｂ，１８ｃに添え皮の裏打ち１９をして各切欠き１８ａ，１８ｂ，１８ｃにより形成された切欠き端縁部を縫着２０ａ，２０ｂ，２０ｃすること（切欠・接合加工）により、親指先端側の指先先端部と手首側の掌基端部との間の長さ寸法ｘ、及び、四指先端側の指先先端部と手首側の掌基端部との間の長さ寸法ｙが、それぞれ掌部材７ａにおける元の長さ寸法（原寸）ｘ０，ｙ０より短くなるように縮小させる、いわゆる縮寸加工Ｐが施されている。
【実施例７】  図１９及び図２０に、本発明の実施例７に係る剣道用籠手で採用された手の内部材の手平部７とその製造に用いられる人工皮革製の掌部材７ａが示されている。
この実施例７の手平部７には、上記実施例１や実施例６の場合とは異なり、その製造時に、手平部７となる掌部材７ａに対して、使用者の親指が位置する親指部分７ｂの略中間部分と、使用者の四指が位置する四指部分７ｃの略根元部分及び略中間部分とに、それぞれ略幅方向に延びる３本の切込み２１ａ，２１ｂ，２１ｃを形成し、この切込み２１ａ，２１ｂ，２１ｃにより形成された切込み端縁部を互いに重ね合わせて縫着２２ａ，２２ｂ，２２ｃすること（切込・接合加工）により、親指先端側の指先先端部と手首側の掌基端部との間の長さ寸法ｘ、及び、四指先端側の指先先端部と手首側の掌基端部との間の長さ寸法ｙが、それぞれ掌部材７ａにおける元の長さ寸法（原寸）ｘ０，ｙ０より短くなるように縮小させる、いわゆる縮寸加工Ｐが施されている。
【実施例８】  図２１に、本発明の実施例８に係る剣道用籠手において採用された手の内部材２の一部が示されている。
この実施例８において、手の内部材２には、比較的柔らかな弾性体で帯状に形成された指先緩衝帯１７が、四指挿入部１０の内部先端に位置するように手平部７及び／又は手甲部８側に固定されて設けられており、これによって、使用時に使用者の少なくとも人差指先端から小指先端まで四指の指先が硬いスライドファスナ１２によって直接的に圧迫されるのを防止できるようになっている。
【実施例９】  図２２に、本発明の実施例９に係る剣道用籠手が示されている。
この実施例９においては、上記実施例１〜５の場合と異なり、スライドファスナ１２のエレメントＡ１２ａの始端と終端が取り付けられる部分に、それぞれ比較的厚手の布製のファスナ保護帯２４の一端が籠手頭布団部４のエレメントＡ１２ａの始端又は終端と共に縫着されており、また、これら各ファスナ保護帯２４の他端にはベルベットファスナ２５が取り付けられており、使用時には各ファスナ保護帯２４のベルベットファスナ２５を手の内部材２側に設けられた図示外のベルベットファスナに固着し、これら各ファスナ保護帯２４によりスライドファスナ１２の最も損傷し易いスライダー１２ｃやスライドファスナ１２の始端及び終端をその表側から覆って保護するようになっていると共に、スライドファスナ１２のスライダー１２ｃやその始端及び終端が直接に使用者の手や腕に当たらないようになっている。
【実施例１０】  図２３に、本発明の実施例１０に係る剣道用籠手が示されている。
この実施例１０においては、上記実施例１〜９の剣道用籠手とは異なり、取着手段のスライドファスナ１２は、その始端が籠手布団部材１の籠手頭布団部４の親指側付け根付近に位置すると共に、使用時にスライダー１２ｃが位置するスライドファスナ１２の終端が籠手筒布団部３の小指側の肘側末端付近にまで延びており、これによって使用時にスライダー１２ｃが稽古や競技の邪魔になったり、あるいは、最も損傷し易いスライダー１２ｃが竹刀等により打突されて破損するのを可及的に防止することができる。また、この実施例１０においても、上記実施例９の場合と同様に、スライドファスナ１２の始端及び終端を保護するファスナ保護帯２４が取り付けられている。そして、この実施例１０のァスナ保護帯２４は、上記実施例９の場合と異なり、その一端が手の内部材２の手甲部８及び延長前腕部８ａにそれぞれ縫着されており、また、他端はスライドファスナ１２の始端側で籠手頭布団部４の外側に、また、スライドファスナ１２の終端側で籠手筒布団部３の内側に、それぞれ図示外のベルベットファスナにより着脱可能に固着されている。
【実施例１１】  図２４に、本発明の実施例１１に係る剣道用籠手が示されている。
この実施例１１においては、上記実施例１〜９の剣道用籠手とは異なり、取着手段のスライドファスナ１２は、その始端と終端がいずれも籠手筒布団部３の親指側又は小指側の肘側末端付近にまで延びており、また、使用時にスライダー１２ｃが位置するスライドファスナ１２の終端側には、上記実施例９及び１０の場合と同様に、ファスナ保護帯２４が取り付けられており、これによって手の内部材２を籠手布団部材１側に取着する際に同時にかつ容易に延長前腕部８ａを籠手筒布団部３の内側に取着できると共に、使用時にはスライダー１２ｃが籠手筒布団部３の小指側の肘側末端付近に位置するので、稽古や競技の邪魔になったり、あるいは、最も損傷し易いスライダー１２ｃが竹刀等により打突されて破損するのを可及的に防止することができる。
【実施例１２】  図２５に、本発明の実施例１２に係る剣道用籠手が示されている。
この実施例１２においては、上記実施例１０の場合と同様に、取着手段のスライドファスナ１２は、その始端が籠手布団部材１の籠手頭布団部４の親指側付け根付近に位置すると共に、使用時にスライダー１２ｃが位置するスライドファスナ１２の終端が籠手筒布団部３の小指側の肘側末端付近にまで延びているが、実施例１０の場合とは異なり、籠手筒布団部３の領域部分に位置するスライドファスナ１２の終端側全体に亘ってこのスライドファスナ１２を保護する帯状ファスナ保護帯２４ａが取り付けられており、これによってスライドファスナ１２の終端側が籠手筒布団部３の領域において使用者の前腕部に直接的に当たることがなく、延長前腕部８ａと相俟って使用者の前腕部における衝撃緩和効果がより一層向上する。
【実施例１３】  図２６及び図２７に、本発明の実施例１３に係る剣道用籠手が示されている。
この実施例１３においては、上記実施例１０や実施例１２の場合と同様に、取着手段のスライドファスナ１２は、その始端が籠手布団部材１の籠手頭布団部４の親指側付け根付近に位置すると共に、使用時にスライダー１２ｃが位置するスライドファスナ１２の終端が籠手筒布団部３の小指側の肘側末端付近にまで延びているが、実施例１０や実施例１２の場合とは異なり、スライドファスナ１２が使用時に籠手頭布団部４と手の内部材２との間を取着する部分において、このスライドファスナ１２の各エレメントＡ１２ａ及びＢ１２ｂ、特にそのファスナーエレメントの一部又は全部が籠手の表面側に露出する領域（親指側付け根付近、親指と人差指の間、及び小指側付け根付近）に、一端が籠手布団部材１の籠手頭布団部４側（図２７の右側参照、小指側付け根付近）又は手の内部材２側（図２７の左側参照、親指と人差指の間）に固定され、他端が他方に向けて延設され、使用時に少なくとも各エレメントＡ１２ａ及びＢ１２ｂ表面側露出部分をその表面側から被覆して保護する帯状ファスナ保護帯２４ｂが設けられており、これによって各エレメントＡ１２ａ及びＢ１２ｂ表面側露出部分が保護されている。
【実施例１４】  図２８〜図３３に、本発明の実施例１４に係る左手用の剣道用籠手が示されている。
この実施例１４の剣道用籠手は、上記実施例１〜１２の場合と異なり、図３１及び図３２に示されているように、手の内部材２の親指挿入部９及び四指挿入部１０の手甲部８外側に設けられた被覆部１１ａ，１１ｂがそれぞれ比較的小さな袋状に形成されており、また、この手の内部材２を籠手布団部材１の籠手頭布団部４に着脱可能に取り付けるための取着手段が第１、第２及び第３の取着帯片２６ａ，２６ｂ，２６ｃで構成されている。
そして、籠手布団部材１には、図２８に示されているように、その籠手頭布団部４の手の平側に、親指保護部５及び四指保護部６の先端部にそれぞれ位置するベルベットファスナ（止着手段）２７ａ，２７ｂと、親指保護部５及び四指保護部６の付け根付近にそれぞれ位置するベルベットファスナ（止着手段）２７ｃ，２７ｄと、親指保護部５と四指保護部６との間に位置するベルベットファスナ（止着手段）２７ｅとが取り付けられており、また、図２９及び図３０に示されているように、その籠手頭布団部４の手の甲側の４箇所にベルベットファスナ（止着手段）２８ａ，２８ｂ，２８ｃ，２８ｄが取り付けられている。
また、上記手の内部材２には、図３２に示されているように、その手甲部８に、親指挿入部９及び四指挿入部１０の先端部に位置するベルベットファスナ（止着手段）２９ａ，２９ｂと、親指挿入部９及び四指挿入部１０の付け根付近にそれぞれ位置するベルベットファスナ（止着手段）２９ｃ，２９ｄと、親指挿入部９と四指挿入部１０との間に位置するベルベットファスナ（止着手段）２９ｅとが取り付けられており、また、図３１に示されているように、その第１の取着帯片２６ａの手平部７側の２箇所にベルベットファスナ（止着手段）３０ａ，３０ｂが、また、その第２の取着帯片２６ｂの手平部７側の２箇所にベルベットファスナ（止着手段）３０ｃ，３０ｄがそれぞれ取り付けられており、更に、図３２に示されているように、その第１の取着帯片２６ａの手甲部８側の２箇所にベルベットファスナ（止着手段）３１ａ，３１ｂが、その第２の取着帯片２６ｂの手甲部８側の１箇所にベルベットファスナ（止着手段）３１ｃが、また、その第３の取着帯片２６ｃの手甲部８側の３箇所にベルベットファスナ（止着手段）３１ｄ，３１ｅ，３１ｆがそれぞれ取り付けられている。
また、この実施例１４の手の内部材２は、図３１及び図３３に示されているように、２つの縫着部３２ａ，３２ｂにより、その四指挿入部１０の先端１０ａが被覆部１１ｂの先端より内側に位置するように形成されており、手指を挿入して竹刀等を握った際に、指先が被覆部１１ｂに嵌合された籠手頭布団部４の四指保護部６の先端６ａより内側に位置し、指先が籠手頭布団４の四指保護部６の先端６ａより先に出っ張るのを完全に防止し、指先の怪我を未然に防止できるようになっている。なお、この実施例１４においては、親指以外の四指側についてのみこの点の加工がなされているが、この四指側についてのみでなく、親指側に対しても同様の加工を施してもよいことは勿論である。
更に、この実施例１４においては、図３３に示されているように、上記手の内部材２の四指挿入部１０の手甲部８側の先端部外側に設けられた被覆部１１ｂには、その内面側開口端近傍に、この被覆部１１ｂ内に嵌合される籠手布団部材１の籠手頭布団部４の四指保護部６の先端部に設けられたベルベットファスナ（止着手段）２８ｄに着脱可能に止着するベルベットファスナ（止着手段）３３ｄが設けられており、これによって四指保護部６の先端部が嵌合した被覆部１１ｂの開口端を確実に閉塞させることができ、この開口端から被覆部１１ｂ内に竹刀等の先端が引っ掛かって不慮の事故が発生することが無いようになっている。
なお、この図３３においては、親指以外の四指側についてのみこの点の加工が示されているが、手の内部材２の親指挿入部９の手甲部８側の先端部外側に設けられた被覆部１１ａについても、上記の四指側と同様に、図示外のベルベットファスナ（止着手段、３３ｃ：図示せず）が設けられており、籠手布団部材１の籠手頭布団部４の親指保護部５の先端部に設けられたベルベットファスナ（止着手段）２８ｃに着脱可能に止着されるようになっている。
従って、この実施例１４の剣道用籠手について、その籠手布団部材１の籠手頭布団部４に手の内部材２を取り付ける際には、先ず、親指挿入部９及び四指挿入部１０の手甲部８側の各先端部に設けられた被覆部１１ａ，１１ｂを捲り上げ、次いで図２８に示す親指保護部５及び四指保護部６の各先端部のベルベットファスナ２７ａ，２７ｂと図３２に示す親指挿入部９及び四指挿入部１０の各先端部のベルベットファスナ２９ａ，２９ｂとを止着し、更に籠手頭布団部４の手の平側に設けられた図２８に示すベルベットファスナ２７ｃ，２７ｄ，２７ｅと手の内部材２の手甲部８側に設けられた図３２に示すベルベットファスナ２９ｃ，２９ｄ，２９ｅとを止着して籠手布団部材１の籠手頭布団部４の手の平側に手の内部材２の手甲部８を固着する。
次に、捲り上げた各被覆部１１ａ，１１ｂを元の位置に戻すことにより親指保護部５及び四指保護部６の各先端部を各被覆部１１ａ，１１ｂ内にそれぞれ位置せしめ、この状態で各被覆部１１ａ，１１ｂ側にそれぞれ設けたベルベットファスナ３３ｃ，３３ｄを親指保護部５及び四指保護部６の各先端部にそれぞれ設けたベルベットファスナ２８ｃ，２８ｄに止着し、これによって、籠手布団部材１の籠手頭布団部４の親指保護部５及び四指保護部６の各先端部と、手の内部材２の親指挿入部９及び四指挿入部１０の手甲部８側の先端部外側に設けた被覆部１１ａ，１１ｂとの間を固着する。
このようにして籠手布団部材１の籠手頭布団部４の手の平側に手の内部材２の手甲部８を固着すると共に親指保護部５及び四指保護部６の各先端部に手の内部材２の各被覆部１１ａ，１１ｂを被せて固着した後、手の内部材２の第１の取着帯片２６ａを籠手頭布団部４の手の甲側に巻き付けて第１の取着帯片２６ａの手甲部８側に設けられたベルベットファスナ３１ａ，３１ｂを籠手頭布団部４の手の甲側に設けられたベルベットファスナ２８ａ，２８ｂに止着し、次いで第２の取着帯片２６ｂを籠手頭布団部４の手の甲側に巻き付けて第２の取着帯片２６ｂの手甲部８側に設けられたベルベットファスナ３１ｃを上記第１の取着帯片２６ａの手平部７側に設けられたベルベットファスナ３０ｂに止着し、更に、第３の取着帯片２６ｃを籠手頭布団部４の手の甲側に巻き付けてこの第３の取着帯片２６ｃの手甲部８側に設けられたベルベットファスナ３１ｄ，３１ｅ，３１ｆを上記第１の取着帯片２６ａの手平部７側に設けられたベルベットファスナ３０ａ及び第２の取着帯片２６ｂの手平部７側に設けられたベルベットファスナ３０ｃ，３０ｄにそれぞれ止着し、これによって第１、第２及び第３の取着帯片２６ａ，２６ｂ，２６ｃを籠手頭布団部４の手の甲側で強固に固着すればよい。
【実施例１５】  次に、図３４〜図４０に、本発明の実施例１５に係る左手用の剣道用籠手が示されている。この実施例１５の剣道用籠手は、図３４に示されているように、上記実施例１４の場合と同様に、籠手筒布団部３と親指保護部５及び四指保護部６を有する籠手頭布団部４とを継ぎ合わせてなる籠手布団部材１と、この籠手布団部材１の籠手頭布団部４に着脱可能に取り付けられた手の内部材２とで構成されている。
この実施例１５の籠手布団部材１には、図３５及び図３７に示されているように、その籠手頭布団部４の手の平側に、親指保護部５及び四指保護部６の先端部にそれぞれベルベットファスナ（止着手段）３４ａ，３４ｂが取り付けられていると共にこれら親指保護部５の付け根付近及び手首付近にそれぞれベルベットファスナ（止着手段）３４ｃ，３４ｄが取り付けられており、また、その籠手筒布団部３の手の平側に、互いに所定の間隔を置いて３箇所にベルベットファスナ（止着手段）３５ａ，３５ｂ，３５ｃが取り付けられており、更に、図３６及び図３７に示されているように、その籠手頭布団部４の手の甲側に、親指保護部５及び四指保護部６の各先端部及び各付け根付近にそれぞれ比較的大きなベルベットファスナ（止着手段）３６ａ，３６ｂ，３６ｃ，３６ｄが取り付けられている。
そして、上記手の内部材２は、図３８及び図３９に示されているように、人工皮革で形成されて手の平側に位置する手平部７と、フェルトで形成されて上記籠手布団部材１の籠手頭布団部４の手の甲側に位置する手甲部８と、この手甲部８と同じフェルトで一体に形成され、上記籠手布団部材１の籠手筒布団部３と略々同じ長さを有する延長前腕部８ａと、上記籠手布団部材１の籠手頭布団部４に略対応して上記手甲部８の外側に位置し、この手の内部材２を上記籠手布団部材１に着脱可能に取り付けるための化学繊維製の織布よりなる取着巾片（取着手段）２６とをその外周縁部で縫着して形成されており、上記手平部７と手甲部８とにより親指挿入部９と四指挿入部１０とが形成され、また、上記取着巾片２６には親指保護部５を覆う部分の略中央と四指保護部６を覆う部分の略中央とにそれぞれ切込み３７ａ，３７ｂが設けられて親指側巾片２６ｄ、中央巾片２６ｅ及び小指側巾片２６ｆとに分割されていると共に、上記の各切込み３７ａ，３７ｂの先端側にはそれぞれ親指保護部５及び四指保護部６の先端部が嵌合される被覆部１１ａ，１１ｂが形成されている。
また、この実施例１５の手の内部材２には、図３８〜図４０に示されているように、その手甲部８に、親指挿入部９及び四指挿入部１０の先端部に位置するベルベットファスナ（止着手段）３８ａ，３８ｂと、親指挿入部９の付け根付近及び手首付近にそれぞれ位置するベルベットファスナ（止着手段）３８ｃ，３８ｄとが取り付けられていると共に、籠手筒布団部３に対応する延長前腕部８ａの手の甲側に互いに所定の間隔を置いて３箇所にベルベットファスナ（止着手段）３９ａ，３９ｂ，３９ｃが取り付けられており、更に、上記親指側巾片２６ｄ、中央巾片２６ｅ及び小指側巾片２６ｆには、切込み３７ａ，３７ｂの両側縁に沿ってその内面側に、上記籠手頭布団部４の手の甲側の親指保護部５及び四指保護部６の各先端部及び各付け根付近に設けられたベルベットファスナ３６ａ，３６ｂ，３６ｃ，３６ｄにそれぞれ止着可能な８個のベルベットファスナ（止着手段）４０ａ，４０ｂ，４０ｃ，４０ｄ，４０ｅ，４０ｆ，４０ｇ，４０ｈが取り付けられている。
この実施例１５の手の内部材２においても、図３９に示されているように、上記実施例１４の場合と同様に、手の内部材２は、その四指挿入部１０の先端１０ａが被覆部１１ｂの先端より内側に位置するように形成されており、手指を挿入して竹刀等を握った際に、指先が図示外の籠手頭布団４の四指保護部６の先端より先に出っ張るのを完全に防止し、指先の怪我を未然に防止できるようになっている。なお、この実施例１５においても、親指側に対して同様の加工を施してもよいことは勿論である。
更に、この実施例１５の剣道用籠手においては、その籠手布団部材の手の平側に位置する織布にポリエチレン製の防水フィルムが熱融着（ラミネート）されて防水処理されており（図示せず）、これによって使用者等からの汗が籠手布団部材に吸収されるのを防止できるようになっている。
従って、この実施例１５の剣道用籠手においても、上記実施例１４の場合と同様に、手の内部材２の取着巾片２６を構成する親指側巾片２６ｄ、中央巾片２６ｅ及び小指側巾片２６ｆをそれぞれ裏返してこの手の内部材２の手甲部８を露出させ、次いで手の内部材２側の手甲部８のベルベットファスナ３８ａ，３８ｂ，３８ｃ，３８ｄ及び延長前腕部８ａのベルベットファスナ３９ａ，３９ｂ，３９ｃを対応する籠手布団部材１側のベルベットファスナ３４ａ，３４ｂ，３４ｃ，３４ｄ及び３５ａ，３５ｂ，３５ｃにそれぞれ止着して手の内部材２を籠手布団部材１に固着し、次いで、上記手の内部材２の親指側巾片２６ｄ、中央巾片２６ｅ及び小指側巾片２６ｆをそれぞれ元に戻して手の内部材２の親指保護部５及び四指保護部６の各先端部を手の内部材２の各被覆部１１ａ，１１ｂ内に位置せしめ、更に、親指側巾片２６ｄ、中央巾片２６ｅ及び小指側巾片２６ｆに設けたベルベットファスナ４０ａ，４０ｂ，４０ｃ，４０ｄ，４０ｅ，４０ｆ，４０ｇ，４０ｈをそれぞれ対応する籠手頭布団部４側のベルベットファスナ３６ａ，３６ｂ，３６ｃ，３６ｄに止着することにより、手の内部材２を籠手布団部材１に強固にかつ容易に着脱可能に取り付けることができる。
なお、図４１（ａ）（ｂ）（ｃ）は、上記実施例１５の手の内部材２の変形例を示すものであり、手の内部材２の四指挿入部１０部分の横断面を示している。
図４１（ａ）に示す例は、実施例１５の場合と異なり、その四指挿入部１０を形成する手平部７と手甲部８との間に、この四指挿入部１０内に挿入される各四指（人差し指、中指、薬指及び小指）の間を仕切る隔壁４１ａ，４１ｂ，４１ｃが設けられており、四指挿入部１０内において各四指がそれぞれ分離されている。
また、図４１（ｂ）に示す例は、四指挿入部１０を形成する手平部７がその３箇所４２ａ，４２ｂ，４２ｃで手甲部８と縫着されており、これによって四指挿入部１０内に挿入される各四指（人差し指、中指、薬指及び小指）の間がそれぞれ人差し指部５１ａ、中指部５１ｂ、薬指部５１ｃ及び小指部５１ｄに分離されるようになっており、更に、図４１（ｃ）に示す例は、四指挿入部１０を形成する手平部７が１箇所４２ｃでのみ手甲部８と縫着されており、四指挿入部１０内に挿入される各四指のうち最も重要な小指が挿入される小指部５１ｄのみが他の三指（人差し指、中指及び薬指）が挿入される三指部５１ｅから分離されるようになっている。
これらのように四指挿入部１０内において各四指、特に小指を分離して個別に動ける自由を確保することにより、竹刀の握りの強さや操作を容易にすることができ、特に最も力が弱いにも拘わらず、確りした握り強さを求められる小指の動きを容易にすることができる。
なお、図４１（ａ）（ｂ）（ｃ）において、取着巾片２６には、上記実施例１５と同様に、切込み３７ｂにより分割された中央巾片２６ｅ及び小指側巾片２６ｆが形成されており、上記籠手布団部材１の籠手頭布団部４の四指保護部６に着脱可能に固着されるようになっている。
この図４１（ａ）（ｂ）（ｃ）に示す手の内部材２の変形例は、手の内部材が手袋状に形成されていれば、本発明の他の実施例に対しても適用することができる。
【実施例１６】  次に、図４２〜図４５に、本発明の実施例１６に係る左手用の剣道用籠手が示されている。この実施例１６の剣道用籠手は、図４２に示されているように、上記実施例１４や実施例１５の場合と同様に、籠手筒布団部３と親指保護部５及び四指保護部６を有する籠手頭布団部４とを継ぎ合わせてなる籠手布団部材１と、この籠手布団部材１の籠手頭布団部４に着脱可能に取り付けられた手の内部材２とで構成されており、また、上記手の内部材２には、上記実施例１５
の場合と同様に、上記籠手布団部材１の籠手筒布団部３と略々同じ長さを有する延長前腕部８ａが設けられている。
この実施例１６において、上記手の内部材２は、図４３〜図４５に示されているように、人工皮革製の手平部７と織布製の手甲部８とをその外周縁部で縫着して形成されており、親指挿入部９と四指挿入部１０とを有すると共に、化学繊維製で伸縮性の織布で形成され、この手の内部材２を籠手布団部材１に着脱可能に取り付けるための第１、第２及び第３の取着帯片（取着手段）４３ａ，４３ｂ，４３ｃが設けられており、上記第１の取着帯片４３ａの親指側の端部と第２の取着帯片４３ｂの親指側の端部とが重なり合って上記籠手布団部材１の籠手頭布団部４の親指保護部５をその手甲側から被覆する被覆部１１ａを形成し、また、上記第１の取着帯片４３ａの四指側の端部と第３の取着帯片４３ｃの四指側の端部とが重なり合って上記籠手布団部材１の籠手頭布団部４の四指保護部６をその手甲側から被覆する被覆部１１ｂを形成するようになっている。
また、この実施例１６においても、上記実施例１４や実施例１５の場合と同様に、上記籠手布団部材１には、図示外のベルベットファスナ（止着手段）が取り付けられており、また、上記手の内部材２には、図４４及び図４５に示されているように、その手甲部８の７箇所にベルベットファスナ（止着手段）４４が、また、上記第１の取着帯片４３ａの手平部７側の５箇所にベルベットファスナ（止着手段）４５が、また、この第１の取着帯片４３ａの手甲部８側の４箇所にベルベットファスナ（止着手段）４６が、また、上記第２の取着帯片４３ｂの手平部７側の１箇所にベルベットファスナ（止着手段）４７が、また、第２の取着帯片４３ｂの手甲部８側の２箇所にベルベットファスナ（止着手段）４８が、更に、上記第３の取着帯片４３ｃの手甲部８側の４箇所にベルベットファスナ（止着手段）４９がそれぞれ取り付けられており、更にまた、上記延長前腕部８ａにも実施例１５の場合と同様に図示外のベルベットファスナ（止着手段）が取り付けられている。
従って、この実施例１６の剣道用籠手においても、上記実施例１４や実施例１５の場合と同様に、上記ベルベットファスナ４４，４５，４６，４７，４８，４９を用いて容易に手の内部材２を籠手布団部材１に取り付け、また、取り外すことができる。
【産業上の利用可能性】  本発明の剣道用籠手は、最も消耗・破損し易く、また、腐食や悪臭の発生原因になり易くて修理の負担となっている手の内部を着脱可能にし、これによって修理費を軽減できると共に洗浄により腐食や悪臭の発生を防止できるだけでなく、相手との激しい衝突や竹刀等による打突等の衝撃が作用しても手指を完全に保護することができるので、競技用としては勿論、特に稽古用として極めて有用である。
また、本発明の剣道用籠手は、籠手布団部材、手の内部材及びこれらの間を着脱可能に取り付ける取着手段とを備えた剣道用籠手において、竹刀等を握った際に手平部に皺ができるのを防止して握り易くなる、使用時に指先が四指保護部の先端より内側に位置して指先の怪我をより確実に未然に防止できる、使用中に前腕からの汗を吸収できると共にこの籠手筒布団部の衝撃緩和効果をより一層高める、又は、取着手段としてのスライドファスナの最も損傷し易い始端及び／又は終端を保護すると共に使用中のスライダーの移動を防止して使用者を保護する等の効果を個々に、あるいは、組み合せて有るものであり、より安全でより使い勝手のよいものである。
【図１】
2005014123.tif 000003
【図２】
2005014123.tif 000004
【図３】
2005014123.tif 000005
【図４】
2005014123.tif 000006
【図５】
2005014123.tif 000007
【図６】
2005014123.tif 000008
【図７】
2005014123.tif 000009
【図８】
2005014123.tif 000010
【図９】
2005014123.tif 000011
【図１０】
2005014123.tif 000012
【図１１】
2005014123.tif 000013
【図１２】
2005014123.tif 000014
【図１３】
2005014123.tif 000015
【図１４】
2005014123.tif 000016
【図１５】
2005014123.tif 000017
【図１６】
2005014123.tif 000018
【図１７】
2005014123.tif 000019
【図１８】
2005014123.tif 000020
【図１９】
2005014123.tif 000021
【図２０】
2005014123.tif 000022
【図２１】
2005014123.tif 000023
【図２２】
2005014123.tif 000024
【図２３】
2005014123.tif 000025
【図２４】
2005014123.tif 000026
【図２５】
2005014123.tif 000027
【図２６】
2005014123.tif 000028
【図２７】
2005014123.tif 000029
【図２８】
2005014123.tif 000030
【図２９】
2005014123.tif 000031
【図３０】
2005014123.tif 000032
【図３１】
2005014123.tif 000033
【図３２】
2005014123.tif 000034
【図３３】
2005014123.tif 000035
【図３４】
2005014123.tif 000036
【図３５】
2005014123.tif 000037
【図３６】
2005014123.tif 000038
【図３７】
2005014123.tif 000039
【図３８】
2005014123.tif 000040
【図３９】
2005014123.tif 000041
【図４０】
2005014123.tif 000042
【図４１】
2005014123.tif 000043
【図４２】
2005014123.tif 000044
【図４３】
2005014123.tif 000045
【図４４】
2005014123.tif 000046
【図４５】
2005014123.tif 000047
【図４６】
2005014123.tif 000048
【図４７】
2005014123.tif 000049
【図４８】
2005014123.tif 000050
【手続補正書】
【提出日】平成17年2月25日(2005.2.25)
【手続補正００１】
【補正対象書類名】特許請求の範囲
【補正対象項目名】全文
【補正方法】変更
【補正の内容】
【書類名】特許請求の範囲
【請求項１】前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材には、上記籠手頭布団部の親指保護部及び／又は四指保護部の少なくとも先端部を被覆し、使用時に上記籠手布団部材と手の内部材との間が分離するのを防止する被覆部からなる分離防止手段が設けられていることを特徴とする剣道用籠手。
【請求項２】（削除）
【請求項３】被覆部とこの被覆部で被覆される籠手頭布団部の親指保護部及び／又は四指保護部の先端部との間には、これらの間を着脱可能に固定する止着手段が設けられている請求項１に記載の剣道用籠手。
【請求項４】手の内部材は、手の平側に位置すると共に人工皮革、鹿皮及びフェルトから選ばれた１又は２以上の材質で形成された手平部において、切込み、切欠き及び切離しから選ばれた１又は２以上の手段で形成された端縁部を接合することにより、少なくとも四指先端側の指先先端部と手首側の掌基端部との間の長さ寸法を縮小する縮寸加工がされている請求項１〜３のいずれかに記載の剣道用籠手。
【請求項５】削  除
【請求項６】削  除
【請求項７】削  除
【請求項８】削  除
【請求項９】手の内部材は、手の平側に位置する手平部に、手の甲側に位置する手甲部が取り付けられ、親指が挿入される親指挿入部と親指以外の四指が挿入される四指挿入部とを有する手袋状に形成されている請求項１〜８のいずれかに記載の剣道用籠手。
【請求項１０】手の内部材は、少なくともその四指が位置する四指部分の先端が籠手頭布団部の四指保護部の先端より内側に位置するように形成されており、使用時に指先が上記四指保護部の先端より内側に位置するようになっている請求項１〜９のいずれかに記載の剣道用籠手。
【請求項１１】削  除
【請求項１２】手の内部材の手甲部には、上記籠手布団部材の籠手筒布団部内側にまで延びる延長前腕部が形成されている請求項９〜１１のいずれかに記載の剣道用籠手。
【請求項１３】前腕を保護する籠手筒布団部と先端に親指保護部及び四指保護部を有して手首より先の部分を保護する籠手頭布団部を継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記手の内部材は、手の平側に位置する手平部に、手の甲側に位置する手甲部が取り付けられ、親指が挿入される親指挿入部と親指以外の四指が挿入される四指挿入部とを有する手袋状に形成されており、
上記手甲部には、上記籠手布団部材の籠手筒布団部内側にまで延びる延長前腕部が形成されており、
上記取着手段は、籠手布団部材側に取り付けられた一方のエレメントＡと、手の内部材側に取り付けられた他方のエレメントＢと、これらエレメントＡとエレメントＢとの間を開閉するスライダーとを有し、その終端が籠手筒布団部の小指側かつ肘側の内側に位置するように、籠手筒布団部とその内面側に位置する延長前腕部との間にまで延設されたスライドファスナであることを特徴とする剣道用籠手。
【請求項１４】手の内部材の手甲部とこの手甲部を覆う籠手布団部材の籠手頭布団部及び／又は籠手筒布団部との間に、少なくともこれらの間の一部を着脱可能に固定する止着手段が設けられている請求項９〜１３のいずれかに記載の剣道用籠手。
【請求項１５】手の内部材は、少なくともその手甲部に打突緩衝材が設けられている請求項９〜１４のいずれかに記載の剣道用籠手。
【請求項１６】（削除）
【請求項１７】籠手布団部材と手の内部材との間には、一端がそのいずれか一方に固定されていると共に他端が他方に着脱可能に固着され、使用時に少なくともスライドファスナの始端及び／又は終端を保護するファスナ保護帯が設けられている請求項１３〜１６のいずれか又は請求項２４に記載の剣道用籠手。
【請求項１８】（削除）
【請求項１９】スライドファスナは、その籠手布団部材側のエレメントＡが籠手布団部材の最外周縁端より内側に取り付けられている請求項１３〜１８のいずれか又は請求項２４に記載の剣道用籠手。
【請求項２０】（削除）
【請求項２１】スライドファスナは、その各エレメントＡ及びＢが熱可塑性樹脂でコイル状に形成されたファスナーエレメントとこのファスナーエレメントが片面側縁部長手方向に沿って取り付けられたファスナーテープとで構成された連続スライドファスナであり、各ファスナーエレメントの取付面とは反対側の面が表面側になるように各ファスナーテープを介して籠手布団部材と手の内部材との間に取り付けられる請求項１３〜２０のいずれか又は請求項２４に記載の剣道用籠手。
【請求項２２】籠手布団部材と手の内部材との間には、一側縁
がそのいずれか一方に固定されていると共に他側縁が他方に向けて延設され、使用時に少なくともスライドファスナの各エレメントＡ及びＢの表面側露出部分をその表面側から被覆して保護する帯状ファスナ保護帯が設けられている請求項１３〜２１のいずれか又は請求項２４に記載の剣道用籠手。
【請求項２３】削  除
【請求項２４】取着手段が、籠手布団部材の少なくとも籠手頭布団部の周縁部に取り付けられた一方のエレメントＡと、手の内部材の周縁部に取り付けられた他方のエレメントＢと、これらエレメントＡとエレメントＢとの間を開閉するスライダーとを有するスライドファスナである請求項１〜１２のいずれかに記載の剣道用籠手。
【請求項２５】前腕を保護する籠手筒布団部と先端に親指保護部及び四指保護部を有して手首より先の部分を保護する籠手頭布団部とを継ぎ合わせてなる籠手布団部材と、この籠手布団部材の少なくとも籠手頭布団部に着脱可能に取り付けられる手の内部材と、上記籠手布団部材に手の内部材を着脱可能に取り付ける取着手段とを備えた剣道用籠手において、
上記取着手段が、籠手布団部材の少なくとも籠手頭布団部の周縁部に取り付けられた一方のエレメントＡと、手の内部材の周縁部に取り付けられた他方のエレメントＢと、これらエレメントＡとエレメントＢとの間を開閉するスライダーとを有すると共に、上記各エレメントＡ及びＢが熱可塑性樹脂でコイル状に形成されたファスナーエレメントとこのファスナーエレメントが片面側縁部長手方向に沿って取り付けられたファスナーテープとで構成された連続スライドファスナであり、
上記連続スライドファスナが各ファスナーエレメントの取付面とは反対側の面が表面側となるように各ファスナーテープを介して上記籠手布団部材と手の内部材との間に取り付けられていることを特徴とする剣道用籠手。




【国際調査報告】
2005014123.tif 000051
2005014123.tif 000052
2005014123.tif 000053
2005014123.tif 000054
2005014123.tif 000055
2005014123.tif 000056
2005014123.tif 000057